(57)【要約】      （修正有）【課題】簡単な作業で迅速且つ正確に一のロールシートに巻かれているフィルムないしシートを他のロールシートに巻足すことを可能にした新規な巻足し器を提供する。【解決手段】一のロールシートに巻かれているフィルムないしシートを他のロールシートに巻加えるための巻足し器１であって、該巻足し器１は、一のロールシートを回転可能に支持する支持部２、及び他のロールシートを支持すると共に巻取り方向に回転させる巻取り部３を具備し、特に、他のロールシートに巻かれたフィルムないしシートの端部を仮保持する仮保持部４を備えたことを特徴とする。【選択図】図１
0003149978.tif 000002
【実用新案登録請求の範囲】
【請求項１】
一のロールシートに巻かれているフィルムないしシートを他のロールシートに巻加えるための巻足し器であって、該巻足し器は、一のロールシートを回転可能に支持する支持部、及び他のロールシートを支持すると共に巻取り方向に回転させる巻取り部を具備し、特に、他のロールシートに巻かれたフィルムないしシートの端部を仮保持する仮保持部を備えたことを特徴とする巻足し器。
【請求項２】
仮保持部が、突出部材である請求項１に記載の巻足し器。
【考案の詳細な説明】
【技術分野】
【０００１】
本考案は、一のロールシートに巻かれているフィルムないしシートを他のロールシートに巻足すための巻足し器に関するものである。
【背景技術】
【０００２】
トイレットペーパは、主にトイレで用を足す際に後始末に用いられる紙であり、普通巻紙（ロール紙）の状態になっているので、トイレットロールとも呼ばれる。
【０００３】
一般的な家庭においては、この種トイレットペーパは、通常ペーパホルダなどと称される保持具に装着された状態で使用され、巻かれている紙がなくなる度に新しいものに交換するといった使用形態がとられる。
【０００４】
一方、ホテルやレストラン或は大型ショッピング施設等においては、顧客にトイレットペーパの交換をさせることは失礼であるとの考えからか、ペーパホルダ内に常に充分な使用残量を確保することを管理基準としているところが多い。即ち、ペーパホルダ内のトイレットペーパの残量が、所定の時間（例えば定期的な清掃間隔等）の使用量に対して不充分であると判断された場合は、当該使用途中のトイレットペーパを取外して回収し、新しいものに交換するのである。
【０００５】
この回収された使用途中のトイレットペーパは、ほぼ廃棄処分に供されているのが現状であり、その廃棄されるトイレットペーパの数量は、消費量の１０〜１５％にも上ると推定されている。
【０００６】
この問題に対しては、複数の使用途中のトイレットペーパを巻足して、充分な残量を有するトイレットペーパに再生させる手段が考えられる。
【０００７】
しかしながら、一のトイレットペーパに他のトイレットペーパをきれいに巻足すのは非常に困難である。又、きれいに巻かれていないトイレットペーパは、使用者側の衛生的な感情の点からも好ましくない。
【０００８】
そこで最近では、使用途中の複数のトイレットペーパを巻足すための装置が開発されている（例えば、下記特許文献１及び２参照。）。
【先行技術文献】
【特許文献】
【０００９】
【特許文献１】特開平６‐１２７７５９号公報
【特許文献２】特開２００３‐１５３８２２号公報
【００１０】
しかしながら、前記特許文献１の発明においては、巻足し作業の前にトイレットペーパの端部同士を糊などで接合する必要があり、正確に接合することが困難であるうえ、該接合部において使用者が違和感を生じるといった問題がある。
【００１１】
又、前記特許文献２の発明においては、巻足し作業の際に、巻取り側のトイレットペーパに、巻き取られる側のトイレットペーパの端部を一回転以上巻き回して固定する必要があり、迅速な作業の観点及び操作性の点で問題があった。
【考案の概要】
【考案が解決しようとする課題】
【００１２】
本考案は前記技術的課題を解決するために開発されたものであり、簡単な作業で迅速且つ正確に一のロールシートに巻かれているフィルムないしシートを他のロールシートに巻足すことを可能にした新規な巻足し器を提供することを目的とする。
【課題を解決するための手段】
【００１３】
上記目的を達成するために開発された本考案の巻足し器は、一のロールシートに巻かれているフィルムないしシートを他のロールシートに巻足すためのものであって、該巻足し器は、一のロールシートを回転可能に支持する支持部、及び他のロールシートを支持すると共に巻取り方向に回転させる巻取り部を具備し、特に、他のロールシートに巻かれたフィルムないしシートの端部を仮保持する仮保持部を備えたことを特徴とする。
以下、本考案の巻足し器について詳細に説明する。
【００１４】
本考案の巻足し器は、一のロールシートに巻かれているフィルムないしシートを他のロールシートに巻加えるためのものである。
【００１５】
即ち、本考案の巻足し器は、一のロールシート（巻き取られ側）に巻かれているフィルムないしシートを、他のロールシート（巻き取り側）に巻足すことによりその使用残量を増加させるための機械器具である。又、二つのロールシートを巻足すだけでは必要な使用残量を確保できない場合にあっては、そこに、更に別の一のロールシートに巻かれているフィルムないしシートが巻足されることになる。
【００１６】
なお、本考案において「ロールシート」とは、トイレットペーパの如き、幅方向に比べて長さ方向が圧倒的に長い帯状のフィルムないしシートを長さ方向に向かって平行に巻き取った状態のもののことを意味する。従って、ウェブロールに限らず、プラスチックフィルム等をロール状に巻き取ったものも含まれる。又、芯材の有無も問わない。該ロールシートの具体例としては、トイレットペーパの他、キッチンペーパ、サランラップ、アルミホイル及び各種テープ等を挙げることができる。
【００１７】
そして、本考案の巻足し器は、まず、一のロールシートを回転可能に支持する「支持部」、及び他のロールシートを支持すると共に巻取り方向に回転させる「巻取り部」を具備する。
【００１８】
即ち、一のロールシートを支持部で支持すると共に他のロールシートを巻取り部で支持するから、巻き取り作業中に各ロールシートの位置が大幅にずれることがなくなり、もって、一のロールシートからシートを引き出しながら他のロールシートにきれいに巻き足すことが可能になるのである。
【００１９】
前記「支持部」は、一のロールシートから円滑にフィルムないしシートが引き出されるように当該ロールシートを回転可能に支持するものであれば特に限定されるものではない。このような支持部としては、例えば、筒状のホルダにロールシートを嵌装して支持したり、複数のローラで挟持したりする手段などを挙げることができる。特に、本考案においては、軸状の部材をロールシートの芯材や中心に挿入・支持する手段が好ましい。
【００２０】
一方、前記「巻取り部」は、他のロールシートを回転させて、前記一のロールシートからフィルムないしシートを引き出すと共に当該フィルムないしシートを他のロールシート上に巻足すものであれば特に限定されるものではない。このような巻取り部としては、例えば、筒状のホルダにロールシートを嵌装して支持したり、複数のローラで挟持したりすると共に何らかの手段（手動、電動その他の動力）によってロールシートに対して回転運動を与える手段を挙げることができる。特に、本考案においては、軸状の部材をロールシートの芯材や中心に挿入すると共に空回りしないように支持し、当該軸状の部材に対して回転運動を与えることによりロールシートに対して回転運動を与える手段が好ましい。なお、軸状の部材をロールシートの芯材や中心に挿入すると共に空回りしないように支持する方法としては、特に限定されるものではないが、具体的に例えば、軸状の部材の外径の一部ないし全部を芯材の内径とほぼ同程度にしたり、軸状の部材として復元力のある部材を用いてその付勢力を利用したり、或は、軸状の部材にテーパなどを施す方法を挙げることができる。
【００２１】
そして、本考案においては、特に、他のロールシートに巻かれたフィルムないしシートの端部を仮保持する仮保持部を備えた点に最も大きな特徴を有する。
【００２２】
更に詳しくは、本考案の巻足し器を用いて一のロールシートに巻かれたフィルムないしシートを他のロールシートに巻足すにあたっては、次の（１）〜（４）の作業を行う。
【００２３】
（１）  一のロールシート及び他のロールシートを支持部及び巻取り部にそれぞれ支持する。
（２）  次に、他のロールシートからフィルムないしシートを引出し、その端部を仮保持部で仮保持することにより、当該他のロールシートと、当該他のロールシートから引き出されたフィルムないしシートとの間に隙間を生じさせる。
（３）  続いて、一のロールシートからフィルムないしシートを引出し、その端部を前記隙間近辺に配置する。
（４）  最後に、他のロールシートを巻取り方向に回転させることにより、前記隙間に一のロールシートから引き出されたフィルムないしシートの端部を挟み込みつつ、そのまま巻き取る。
【００２４】
即ち、本考案の巻足し器は、仮保持部を備えることにより、迅速且つ正確に一のロールシートに巻かれているフィルムないしシートを他のロールシートに巻足すことができるのである。
【００２５】
ここで、前記「仮保持部」としては、他のロールシートから引き出したフィルムないしシートの端部を仮保持することができるものであれば特に限定されるものではない。このような仮保持部の具体例としては、クリップ等の挟持部材などを用いることもできる。しかしながら、本考案において、好ましい仮保持の状態とは、一時的な保持状態であり、強固な保持状体はむしろ好ましく無い。従って、他のロールシートから引き出したフィルムないしシートの端部を何らかの部材に引っ掛けるようにして仮保持するだけで十分である。このような一時的な保持状態を構築できる仮保持部としては、棹、棒、アーム或は板などの突出部材を具体例として挙げることができる。
【考案の効果】
【００２６】
本考案は、簡単な作業で迅速且つ正確に一のロールシートに巻かれているフィルムないしシートを他のロールシートに巻足すことを可能にした新規な巻足し器である。
【００２７】
即ち、一のロールシートを支持部で支持すると共に他のロールシートを巻取り部で支持するから、巻き取り作業中に各ロールシートの位置が大幅にずれることがなくなり、もって、一のロールシートからシートを引き出しながら他のロールシートにきれいに巻足すことが可能になるのである。
【００２８】
特に、本考案の巻足し器においては、他のロールシートから引き出したフィルムないしシートの端部を仮保持する仮保持部を備えているから、迅速且つ正確に一のロールシートに巻かれているフィルムないしシートを他のロールシートに巻足すことができるのである。
【図面の簡単な説明】
【００２９】
【図１】実施例１に係る本考案の巻足し器を示す模式図である。
【図２】実施例１に係る本考案の巻足し器における蓋部を開放した状態を示す模式図である。
【図３】実施例１に係る本考案の巻足し器の使用状態を示す断面図である。
【図４】実施例２に係る本考案の巻足し器を示す側面図である。
【考案を実施するための形態】
【００３０】
以下、本考案の巻足し器を実施するための最良の形態を実施例を挙げて説明するが、本考案はこの実施例に限定されるものではない。
【実施例１】
【００３１】
図１は、本考案の巻足し器１を示す模式図であり、図２は、この巻足し器１の蓋部１２を開放した状態を示す模式図である。この巻足し器１は、ロールシートとしてのトイレットペーパ１００を巻足すためのものであり、開閉可能な基台１０に、支持部２、巻取り部３及び仮保持部４を取り付けたものである。
【００３２】
更に詳しくは、基台１０は基台本体１１及び蓋部１２からなり、蝶番１３を介して開閉可能な構造となっている。
【００３３】
支持部２は、トイレットペーパ１００の筒状芯の内径より小さな外径を有する軸状体であり、蓋部１２の適宜箇所に固定支持されている。
【００３４】
巻取り部３は、トイレットペーパ１００の筒状芯の内径よりやや小さな外径を有する軸状体であり、当該軸状体の周囲複数箇所には、巻取り作業中のトイレットペーパ１００の空回りを防止するための弾性部材（ゴムシート）３１を貼り付けている。又、巻取り部３の根元には、巻足し量の目安となるフランジ３２が配置されている。
なお、この巻取り部３は、蓋部１２の適宜箇所に回転可能に支持されており、レバー１４を手動で操作することにより軸を中心とした回転運動が与えられるように設計されている。
【００３５】
仮保持部４は、適当な径サイズを有する軸状体であり、基台本体１１の適宜箇所に固定支持されている。
【００３６】
そして、本実施例に係る本考案の巻足し器１は、基台１０における蓋部１２を閉めることにより、支持部２及び巻取り部３がそれぞれの端部を係止する受部１５に嵌ると共に、支持部２、巻取り部３及び仮保持部４の配置が互いにほぼ平行の関係となるように設計されている。なお付言するに、各部の位置関係は、図中の上下関係で、上から仮保持部４、支持部２、巻取り部３の順となり、前後関係で、奥から仮保持部４、支持部２、巻取り部３の順としている。
【００３７】
又、基台１０は、蓋部１２を閉めることにより、基台本体１１の垂直壁と蓋部１２との間隔が一般的なトイレットペーパ１００の幅とほぼ同じになるように設計されており、巻き足し作業中に生じる振動により、支持したトイレットペーパ１００が極端に左右に揺れ動かないようにしている。
【００３８】
図３は、本実施例に係る本考案の巻足し器１の使用状態を示す断面図である。
【００３９】
本実施例に係る本考案の巻足し器１を用いて一のトイレットペーパ１００ａに巻かれたペーパ１０１ａを他のトイレットペーパ１００ｂに巻足すにあたっては、まず、図３（ａ）に示すように、一のトイレットペーパ１００ａを支持部２に支持すると共に、他のトイレットペーパ１００ｂを巻取り部３に支持する。
【００４０】
次に、図３（ｂ）に示すように、他のトイレットペーパ１００ｂからペーパ１０１ｂを引出し、その端部を軸状の仮保持部４に引っ掛けるようにして仮保持することにより、当該他のトイレットペーパ１００ｂと、引き出されたペーパ１０１ｂとの間に隙間αを生じさせる。
【００４１】
続いて、図３（ｃ）に示すように、一のトイレットペーパ１００ａからペーパ１０１ａを引出し、その端部を前記隙間α近辺に差し込むように配置する。
【００４２】
最後に、図３（ｄ）に示すように、ハンドルを回して巻取り部３を回転させることにより、他のトイレットペーパ１００ｂを巻取り方向に回転させて、前記隙間αに一のトイレットペーパ１００ｂから引き出されたペーパ１０１ａの端部を挟み込みつつ、そのまま巻き取る。なお、本実施例においては、支持部２対する一のトイレットペーパ１００ａの取り付け方向により、一のトイレットペーパ１００ａに巻かれたペーパ１０１ａは表裏逆となって他のトイレットペーパ１００ｂに巻足されることになる。各トイレットペーパ１００におけるペーパ１０１の裏表の整合性を図る必要がある場合は、支持部に対する一のトイレットペーパ１００ａの取り付け方向を図とは逆にすれば良い。
【００４３】
本実施例に係る本考案の巻足し器１は、このような簡単な作業により、迅速且つ正確に一のトイレットペーパ１００ａに巻かれているペーパ１０１ａを他のトイレットペーパ１００ｂに巻足すことができるのである。
【実施例２】
【００４４】
図４は、本考案の別の巻足し器１を示す断面図である。
【００４５】
即ち、本実施例に係る巻足し器１は、基台１０に３０〜６０度程度の傾斜面１３を設け、当該傾斜面１３において、軸状の支持部２、軸状の巻取り部３及び仮保持部４を平行に配置したものである。なお、図中点線で示すように、レバー１４の回転軸と、巻取り部３の回転軸は歯車を組み合わせることにより連動するように設計されている。
【００４６】
このように構成することにより、基台１０に積極的に蓋部を設けなくても、巻き足し作業中に支持したトイレットペーパ１００が極端に揺れ動かなくなるのである。
【００４７】
その余は、前記実施例１とほぼ同様であるため、繰り返しを避けるため、ここでは説明を省略する。
【産業上の利用可能性】
【００４８】
使用途中で廃棄処分されているのが現状のロールシートを再生し、資源の有効利用を図ることができる。
【符号の説明】
【００４９】
１    巻足し器
２    支持部
３    巻取り部
４    仮保持部
１０  基台
１００  トイレットペーパ（ロールシート）
【図１】
0003149978.tif 000003
【図２】
0003149978.tif 000004
【図３】
0003149978.tif 000005
【図４】
0003149978.tif 000006